(57)【要約】【課題】洗濯機に組み込まれたバスポンプの動作時の振動、騒音を低減すること。【解決手段】洗濯機外箱である枠体１の上部に装着した上部枠体３と、前記枠体１と上部枠体３との間に配置し、注水部材等を装着した支持部材４と、風呂水の吸引ホース３２を接続する吸水筒３１を上方に向けて有するバスポンプ３０と、前記バスポンプ３０を前記支持部材４に載置する複数個の緩衝部材３７とを備え、前記バスポンプ３０は、前記複数個の緩衝部材３７を予め支持部材４に装着し、バスポンプ本体下面に設けた複数本のガイドピン３６を、緩衝材３７に形成した挿入穴４４に装着し、バスポンプの上方の吸水筒３１は、緩衝パッキン材３８にて上部枠体３に設けた開口部２６近傍に位置規制したことにより、バスポンプの位置規制が確実となり、吸引ホース３２の接続が確実となり、バスポンプ３０の振動、騒音が遮断され、上部枠体３や枠体１等の共鳴や振動が防止される。【選択図】図１
2012075680.tif 000002
【特許請求の範囲】
【請求項１】
洗濯機外箱である枠体と、前記枠体の上部に装着した上部枠体と、前記枠体と上部枠体との間に配置し、注水部材等を装着した支持部材と、風呂水吸水を行う吸引ホースを接続する吸水筒を上方に向けて有するバスポンプと、前記バスポンプを前記支持部材に載置する複数個の緩衝部材とを備え、前記バスポンプは、前記複数個の緩衝部材を前記支持部材に装着し、バスポンプ本体下面に設けた複数本のガイドピンを前記緩衝部材に形成した挿入穴に装着し、バスポンプの上方の吸水筒は、緩衝パッキン材を介して上部枠体に設けた開口部に位置規制して取り付けた洗濯機。
【請求項２】
緩衝部材は、中央に貫通穴を有する断面Ｉ形状の弾性体で構成され、その表面に緩衝作用を有する複数条の筋状リブを形成し、支持部材およびバスポンプとの取り付け面に隙間を形成した請求項１記載の洗濯機。
【発明の詳細な説明】
【技術分野】
【０００１】
本発明は、洗濯機に風呂水等を吸引するバスポンプ（吸水ポンプ）を洗濯機本体内部に保持する洗濯機に関するものである。
【背景技術】
【０００２】
従来、この種の洗濯機のバスポンプの保持構成は、給水弁、注水部材等と共にバスポンプを装着した支持部材を、洗濯機外箱である枠体の上部に装着した上部枠体に取り付け固定していた（例えば、特許文献１参照）。
【０００３】
また、バスポンプの支持部材への取り付け固定の構成としては、ポンプをポンプホルダーで覆い、該ポンプホルダーに取り付け部との嵌合部を設け、取り付け部側に前記嵌合部と嵌合する被嵌合部を設けて、前記嵌合部と被嵌合部とを嵌合して固定する構成が提案されている（例えば、特許文献２参照）。
【０００４】
図４は、特許文献１に記載された洗濯機の要部分解斜視図である。図４に示すように、洗濯機外箱である枠体１の上部に、略中央部に衣類投入口２を有する上部枠体３を装着する。
【０００５】
洗濯槽（図示せず）内に水道水を給水する給水弁１１および、乾燥行程で使用する加熱ヒータ１３、前記給水弁１１から洗濯槽へ給水するときに水道水を通過させて洗剤を投入する注水部材１４等の部材と共に、風呂水などを吸水して洗濯槽に給水するバスポンプ（吸水ポンプ）１２を、支持部材４に装着する。
【０００６】
各部材を装着した支持部材４は、枠体１の後方上面に載置し固定され、さらに上方に上部枠体３を被覆し、小ねじ１５で締結装着する。
【０００７】
上記バスポンプ（吸水ポンプ）１２には、吸引ホース（図示せず）を接続する取入口２５を形成し、前記取入口２５は、上部枠体３の上面に形成した開口２６より上方を指向させている。
【０００８】
図５は、特許文献２に記載された洗濯機の風呂水ポンプ固定構造の分解斜視図である。
【０００９】
図５に示すように、風呂水ポンプ５のケーシング７を、蓋１９ｂを開いた状態にしたポンプホルダー１９の本体部１９ａの中に置き、前記蓋１９ｂをヒンジ部１９ｃを介して回動しケーシング７の上面に被せ、先端の係止凸部２１ｂを本体部１９ａの係止凹部２１ａに差し込んで、風呂水ポンプ５とポンプホルダー１９との固定がなされる。
【００１０】
次に、ポンプホルダー１９に一体に設けてある嵌合部であるリブ２２を、上部枠体等の内部の支持部材の給水ケース６等に構成した被嵌合部である突出部２５内に挿入し、ポンプホルダー１９の係止爪２２ａが、給水ケース６の係止孔２５ａに係止して結合がなされて、風呂水ポンプ５およびポンプモータ１６の給水ケース６への固着がなされる。
【先行技術文献】
【特許文献】
【００１１】
【特許文献１】特開２００４−３３７３３９号公報
【特許文献２】特開２００１−２７６４７７号公報
【発明の概要】
【発明が解決しようとする課題】
【００１２】
しかしながら、前記従来の構成では、バスポンプを支持部材に保持する際に、例えば特許文献１の例では直接支持部材に固定するか、特許文献２の例ではポンプホルダーに一旦固定しその後給水ケースに固定するもので、ポンプ等の振動、騒音が、外部に漏れたり、伝達してくるという課題があった。
【００１３】
即ち、ポンプは一般的にモータにより羽根車（ランナー）を高速回転させる為、振動や騒音が発生する。そして、その振動や騒音が、特許文献１の例では支持部材４を介して、  また、特許文献２の例では、ポンプホルダー１９と給水ケース６を介して、上部枠体等に伝達し共鳴や共振を生じる事があり、風呂水吸水中の洗濯機の異常振動や騒音を発生するという不具合がある。
【００１４】
また、吸水ポンプ全体を例えばスポンジ状の緩衝材で囲い、振動伝達を絶縁することも考えられるが、この場合は、作業性の悪さに加えてバスポンプ（吸水ポンプ）の位置や傾斜が不安定になり、図４で示したような取入口２５の位置と、上部枠体３の上面に形成した開口２６との位置にずれが生じ、吸引ホース等の挿入作業がし難くなるという課題があった。
【００１５】
本発明は、上記従来の課題を解決するもので、洗濯機のバスポンプ（吸水ポンプ）を支持部材または上部枠体に取り付ける際、振動や騒音を効果的に絶縁するとともに、取入口と上部枠体の開口との位置ずれを解消することを目的としている。
【課題を解決するための手段】
【００１６】
本発明は、上記目的を達成するために、本発明の洗濯機は、洗濯機外箱である枠体と、前記枠体の上部に装着した上部枠体と、前記枠体と上部枠体との間に配置し、注水部材等を装着した支持部材と、風呂水吸水を行う吸引ホースを接続する吸水筒を上方に向けて有するバスポンプと、前記バスポンプを前記支持部材に載置する複数個の緩衝部材とを備え、前記バスポンプは、前記複数個の緩衝部材を前記支持部材に装着し、バスポンプ本体下面に設けた複数本のガイドピンを前記緩衝部材に形成した挿入穴に装着し、バスポンプの上方の吸水筒は、緩衝パッキン材を介して上部枠体に設けた開口部に位置規制して取り付けたものである。
【００１７】
これにより、バスポンプの振動、騒音が遮断されるので、上部枠体や、外箱である枠体等の共鳴や振動が防止され、さらにバスポンプ給水接続筒の位置規制か確実となり吸引ホースの装着が容易となり、かつ組み立て生産性を高める事が出来るものである。
【発明の効果】
【００１８】
本発明の洗濯機は、バスポンプの動作時の振動、騒音を低減することができる。
【図面の簡単な説明】
【００１９】
【図１】本発明の実施の形態における洗濯機のバスポンプまわりの要部断面図
【図２】同洗濯機のバスポンプまわりの要部分解矢視図
【図３】同洗濯機のバスポンプ取付け用パッキン緩衝剤外観矢視図
【図４】従来の洗濯機の要部分解斜視図
【図５】従来の洗濯機の風呂水ポンプ固定構造の分解斜視図
【発明を実施するための形態】
【００２０】
第１の発明は、洗濯機外箱である枠体と、前記枠体の上部に装着した上部枠体と、前記枠体と上部枠体との間に配置し、注水部材等を装着した支持部材と、風呂水吸水を行う吸引ホースを接続する吸水筒を上方に向けて有するバスポンプと、前記バスポンプを前記支持部材に載置する複数個の緩衝部材とを備え、前記バスポンプは、前記複数個の緩衝部材を前記支持部材に装着し、バスポンプ本体下面に設けた複数本のガイドピンを前記緩衝部材に形成した挿入穴に装着し、バスポンプの上方の吸水筒は、緩衝パッキン材を介して上部枠体に設けた開口部に位置規制して取り付けたことにより、バスポンプの振動が洗濯機の枠体等への伝達が絶縁され、騒音、振動が低減され、かつバスポンプが支持部材の所定の位置に装着されるので、吸引ホースの装着が容易となるものである。
【００２１】
第２の発明は、特に第１の発明の緩衝部材は、中央に貫通穴を有する断面Ｉ形状の弾性体で構成され、その表面に緩衝作用を有する複数条の筋状リブを形成し、支持部材およびバスポンプとの取り付け面に隙間を形成したことにより、取り付け接触面に微小隙間が形成され振動伝達を効果的に低減し、上部枠体や支持部材の共振による騒音発生を確実に抑制する事が出来るものである。
【００２２】
以下、本発明の実施の形態について、図面を参照しながら説明する。なお、従来例と同じ構成のものは同一符号を付して詳細説明を省略する。また、この実施の形態によって本発明が限定されるものではない。
【００２３】
（実施の形態１）
図１は、本発明の実施の形態１における洗濯機のバスポンプまわりの要部断面図をしめすものである。また、図２は、同洗濯機のバスポンプまわりの要部分解矢視図で、図３は、同洗濯機のバスポンプ取付け用パッキン外観矢視図をしめすものである。
【００２４】
図１において、洗濯機外箱である枠体１の上部に装着した上部枠体３の内方に、支持部材４に取り付けられたバスポンプ３０を配置する。
【００２５】
前記バスポンプ３０は、吸引ホース３２を接続する吸水筒３１をバスポンプ上面に設け、上部枠体３上面に配置した開口２６より上方を指向させるように構成している。
【００２６】
前記吸水筒３１に接続された吸引ホース３２を介して吸引された風呂水等は、バスポンプ３０内部のモータにより駆動されたランナー（共に図示せず）により、吐出口３３から可撓性の送水管３４を経て注水部材３５を介して洗濯槽（図示せず）等に供給される。
【００２７】
前記バスポンプ３０の保持は、下方において、底部に一体形成した複数個のガイドピン３６を複数個の断面Ｉ形状の緩衝部材３７を介して支持部材４に装着保持する。
【００２８】
一方、上方は、吸水筒３１の外周に挿入したリング状の緩衝パッキン材３８を、上部枠体３の開口２６下方に一体延設した円筒部３９と段部４０とに圧接した状態で位置を規制して保持する。
【００２９】
支持部材４と上部枠体３との固定は、支持部材４の後方（図１で右方）で上方に屈曲して立ち上げたフランジ部４１と、上部枠体３の後壁４２とを当接させ、小ねじ４３にて締結する。
【００３０】
図２の要部分解矢視図において、バスポンプ３０の支持部材４への取り付け手順を説明する。
【００３１】
予め、複数個の緩衝部材３７を支持部材４に形成した挿入穴５０に嵌合装着しておき、その後バスポンプ３０の複数個のガイドピン３６を緩衝部材３７の中央部の貫通穴４４に上方より挿入して、バスポンプ３０の支持部材４への設置がなされる。
【００３２】
また、バスポンプ３０上面の接続筒３１の外周には、リング状の緩衝パッキン材３８を、上方より予め挿入しておき、バスポンプ３０を支持部材４に設置した状態で、前記接続筒３１を上部枠体３の円筒部３９中央の開口穴４９より上方に向けて挿入し、その後小ねじ４３にて上部枠体３の後壁４２と支持部材４１との締結を完了する。
【００３３】
図３のパッキン外観矢視図において、図２でも述べたように断面Ｉ形状の緩衝部材３７は、中央部に、前記ガイドピン３６の外形寸法に近似した直径の貫通穴４４を有し、上下両端部にフランジ部４５と両フランジ部の間に支持部材の挿入穴５０に嵌合する円筒部４６を形成する。前記両フランジ部４５の間の寸法（Ｈ）は、支持部材４の挿入穴５０部分の厚さと近似させる。
【００３４】
更に、緩衝部材３７の外周、貫通穴４４内周には、複数条の筋状リブ４８を軸方向に形成する。前記筋状リブ４８は、貫通穴４４とガイドピン３６、および支持部材４の挿入穴５０とフランジ部４５および円筒部４６との間に微小隙間を形成し、振動伝達がし難いよう緩衝作用を高めるものである。
【００３５】
なお、緩衝部材３７の材質は、耐老化、耐オゾン性の優れたＥＰＤＭ（エチレンプロピレンゴム）材等が適切である。
【００３６】
以上のように構成した洗濯機について、その動作、作用を説明する。
【００３７】
バスポンプ３０の組み立ては、複数個の緩衝部材３７を予め前記支持部材４の挿入穴５０に装着しておき、その後バスポンプ３０を支持部材４の上方より、ガイドピン３６を緩衝部材３７の貫通穴４４に挿入されることにより、簡単な作業によりバスポンプ３０が支持部材４の所定の位置に装着される。
【００３８】
一方、バスポンプ３０の接続筒３１に緩衝パッキン材３８を装着し、上方より上部枠体３を被覆するように載置し、上部枠体３の開口２６下方に一体延設した円筒部３９と段部４０とに圧接した状態で位置規制しながら保持し、その後、フランジ部４１と上部枠体３の後壁４２とを当接させ小ねじ４３にて締結する。
【００３９】
よって、バスポンプ３０は、緩衝部材３７および緩衝パッキン材３８により支持部材４および上部枠体３と振動伝達が絶縁される。
【００４０】
また、バスポンプ３０と上部枠体３とは位置決めが確実になされるとともに、支持部材４と上部枠体３とも位置決めがなされるので、円筒部３９と上部枠体３の開口部２６とも確実な位置決めがなされ、吸引ホース３２の接続を容易にする事ができる。
【００４１】
これにより、バスポンプ３０の位置規制が確実となり、かつ組み立て生産性やサービス交換性が高まるとともに、バスポンプの振動、騒音が遮断され、上部枠体や、外箱である枠体等の共鳴や共振が防止されるものである。
【００４２】
また、緩衝部材３７は、筋状リブ４８を内外表面上に形成したことにより、取り付け接触面に微小隙間が形成され振動伝達を効果的に低減し、上部枠体３や支持部材４の共振による騒音発生を確実に抑制する事が出来る。
【産業上の利用可能性】
【００４３】
以上のように、本発明にかかる洗濯機は、バスポンプにおける振動騒音の絶縁が簡単かつ確実になされるので、振動を伴うポンプ等を内蔵する機器に有用である。
【符号の説明】
【００４４】
１    枠体
３    上部枠体
４    支持部材
２６  開口部
３０  バスポンプ
３１  吸水筒
３２  吸引ホース
３５  注水部材
３６  ガイドピン
３７  緩衝部材
３８  緩衝パッキン材
４４  貫通穴
４８  筋状リブ
５０  挿入穴
【図１】
2012075680.tif 000003
【図２】
2012075680.tif 000004
【図３】
2012075680.tif 000005
【図４】
2012075680.tif 000006
【図５】
2012075680.tif 000007